(57)【要約】【課題】情報処理装置と全ての表示装置との接続状態を更新した場合でも、リアルタイムに使用者が望んでいる表示装置を情報処理装置の接続先として、選択することができる、セキュリティの信頼性を向上させた表示手段の管理システムの提供を目的とする。【解決手段】ネットワークの環境が悪化して、一部の表示装置１０９ｂと接続が不安定、もしくは不可能になった場合に、情報処理装置１０２と一部の表示装置１０９ｂの接続が不可能であることを、リスト表示手段１０６に表示されるリスト内の表示装置１０９ａ、１０９ｂ、１０９ｃ間の表示位置の位置関係を変更することなく、使用者にその表示装置１０９ｂが接続不可能となったことを伝える。【選択図】図１
2010244390.tif 000002
【特許請求の範囲】
【請求項１】
情報処理装置と、一つ以上の通信手段と、
前記通信手段を介して前記情報処理装置とデータの送受信ができ、前記情報処理装置から送信されるデータを表示することが出来る一つ以上の表示装置からなる表示装置の管理システムであって、
前記情報処理装置は、
前記通信手段を介して受信した前記表示装置のデータをもとに、データの送受信が可能な表示装置の情報を抽出する端末抽出手段と、前記端末抽出手段で抽出した表示装置の情報を記憶する端末記憶手段と、前記端末抽出手段によって抽出した最新の表示装置の情報と前記端末記憶手段によって保持されている表示装置の情報をもとに、表示装置のリストを作成するリスト作成手段と、前記リスト作成手段で作成されたリストを表示するリスト表示手段と、前記リスト表示手段で表示されたリストから使用者が接続先として望む表示装置を選択する端末選択手段と、前記端末選択手段で選択された表示装置に表示させるデータを送信するデータ送信手段を有することを特徴とする表示装置の管理システム。
【請求項２】
情報処理装置と一つ以上の表示装置の内、任意の表示装置との間の接続状態が不安定もしくは不可能になった場合に、前記情報処理装置は、リスト作成手段で作成するリスト内の一つ以上の前記表示装置の表示位置の位置関係を変更しないで、不安定もしくは不可能となった接続状態を使用者に伝えることを特徴とする請求項１記載の表示装置の管理システム。
【発明の詳細な説明】
【技術分野】
【０００１】
本発明は、任意の通信手段で構築されるネットワークに接続しデータの送受信が可能な情報端末である情報処理装置と情報処理装置からのデータを受信して表示することができる表示装置との接続状態の管理を行う表示装置の管理システムに関するものである。
【背景技術】
【０００２】
近年、ネットワークが普及し、オフィスや学校などの多くの場所でLAN（ローカルエリアネットワーク）が構築されている。また、このネットワークを利用して、プレゼンテーション資料を、その資料を保存している機器とは別の機器に転送して発表を行う会議などの場が多くなっている。しかし、ネットワークを利用したシステムであることに起因して、使用者の誤操作により、発表を行うことができなくなる、情報が漏洩してしまうなどの問題がある。
【０００３】
このため、ネットワークを利用したシステムを管理し、使用者の誤操作を防ぐ方法が検討されている（例えば、特許文献１参照）。
【０００４】
図７は、特許文献１に記載された従来の管理システムの構成例である。
【０００５】
特許文献１に記載の発明は、情報処理装置７０１の入力機能を利用して、情報提供管理手段７０２を遠隔制御する場合に、誤操作を防止するため情報処理装置７０１の入力に応じて当該情報処理装置７０１の入力機能の一部を機能停止制御するようにしたものである。
【０００６】
情報提供処理中に使用者の不注意な入力操作を受け付けなくすることができ、誤入力操作を原因とする情報提供処理の続行不能に陥ることを防ぐ。
【先行技術文献】
【特許文献】
【０００７】
【特許文献１】特開２００３―１０８５０５号公報
【発明の概要】
【発明が解決しようとする課題】
【０００８】
前記従来の管理システムは、使用者が用いる情報端末と情報端末から送信された情報を表示する表示装置が接続した後に、使用者の誤操作を防ぐ技術である。この様なシステムにおいて、ネットワーク状態の変化、例えばネットワーク環境の悪化により情報端末と表示装置の接続が不安定、もしくは不可能となった場合に、情報端末と表示装置間の接続状態をリアルタイムに更新すると、情報端末と接続可能な一つ以上の表示装置を単に記述しただけのリストでは、リストの情報が頻繁に変更され、使用者がリスト内から情報端末の接続先として表示装置を選択する際に、使用者が意図しない表示装置を選択してしまう問題点があった。
【０００９】
また、情報端末の接続先として、間違った表示装置に接続をして情報を表示した場合に、情報が漏洩してしまうことがあった。
【００１０】
本発明は、上記問題点を解決するために、情報端末と表示装置間の接続状態をリアルタイムに更新した場合においても、リストに表示されている一つ以上の表示装置間の表示位置の位置関係を変更しない表示装置の管理システムを提供することを目的とする。その結果、使用者の意図しない操作を防止し、情報端末の接続先として使用者の望んでいる表示装置に接続することができることとなる。
【課題を解決するための手段】
【００１１】
前記従来の課題を解決するため、本発明の表示装置の管理システムは、
情報処理装置と、一つ以上の通信手段と、
前記通信手段を介して前記情報処理装置とデータの送受信ができ、前記情報処理装置から送信されるデータを表示することが出来る一つ以上の表示装置からなる表示装置の管理システムであって、
前記情報処理装置は、
前記通信手段を介して受信した前記表示装置のデータをもとに、データの送受信が可能な表示装置の情報を抽出する端末抽出手段と、前記端末抽出手段で抽出した表示装置の情報を記憶する端末記憶手段と、前記端末抽出手段によって抽出した最新の表示装置の情報と前記端末記憶手段によって保持されている表示装置の情報（端末抽出手段で過去に抽出した表示装置の情報）をもとに、表示装置のリストを作成するリスト作成手段と、前記リスト作成手段で作成されたリストを表示するリスト表示手段と、前記リスト表示手段で表示されたリストから使用者が接続先として望む表示装置を選択する端末選択手段と、前記端末選択手段で選択された表示装置に表示させるデータを送信するデータ送信手段を有し、
情報処理装置と表示装置間の接続状態をリアルタイムに更新した場合でも、前記リスト表示手段で表示されるリスト内の表示装置間の表示位置の位置関係を変更しないため、使用者が意図しない表示装置を選択してしまうことを防ぐことができる。
【発明の効果】
【００１２】
以上のように、本発明の表示装置の管理システムによれば、使用者が用いる情報端末の接続先として、使用者が望んでいる表示装置を選択することができる。また、使用者の意図しない表示装置に情報を送信することを防ぐことができるため、セキュリティの向上になる。
【図面の簡単な説明】
【００１３】
【図１】本発明の実施の形態１における管理システムの構成を示すブロック図
【図２】本発明の実施の形態１におけるネットワーク環境が悪化した際のリストの表示例を示す図
【図３】本発明の実施の形態１におけるネットワーク環境が好転した際のリストの表示例を示す図
【図４】本発明の実施の形態１におけるネットワークの状態が変化した際のリストの表示例示す図
【図５】本発明の実施の形態１における実際の管理システムの使用例を示す図
【図６】本発明の実施の形態１における実際の管理システムの別の使用例示す図
【図７】従来の管理システムを示す構成図
【図８】ネットワーク環境が悪化した際のリストの表示例を示す図
【発明を実施するための形態】
【００１４】
以下に、本発明を実施するための最良の形態について、図面を参照しながら説明する。
【００１５】
（実施の形態１）
図１は、本発明の実施の形態１における管理システムの構成を示すブロック図である。
【００１６】
図１において、本発明の管理システムは、ネットワークに接続可能な複数の通信手段１０１ａ、１０１ｂを持ち、これらは、情報処理装置１０２と一つ以上表示装置１０９ａ、１０９ｂ、１０９ｃが接続されている。ここで言う通信手段１０１ａ、１０１ｂとは、有線ＬＡＮや無線ＬＡＮ、Ｗｉ-Ｆｉ、Ｂｌｕｅｔｏｏｔｈなどのネットワークを示す。また、情報処理装置１０２には、ＣＰＵ（Ｃｅｎｔｒａｌ  Ｐｒｏｃｅｓｓｉｎｇ  Ｕｎｉｔ（中央処理装置））などの演算や計算を行うプロセッサが含まれる。
【００１７】
一つ以上の通信手段１０１ａ、１０１ｂを介して取得したネットワーク上の情報からデータの送受信が可能な表示装置１０９ａ、１０９ｂ、１０９ｃの情報（ＩＰ情報、ＳＳＩＤ、端末名などのユニークなＩＤ）を情報処理装置１０２における端末抽出手段１０３で抽出する。端末抽出手段１０３には、受信信号強度測定回路（ＲＳＳＩ）などが含まれる。
【００１８】
さらに、端末抽出手段１０３で抽出された表示装置１０９ａ、１０９ｂ、１０９ｃの情報を端末記憶手段１０４によって、磁気ディスク、光磁気ディスク、光ディスク、フラッシュメモリなどの記憶媒体に記憶する。
【００１９】
また、端末記憶手段１０４では、端末抽出手段１０３で過去に抽出されたが、今回最新の端末抽出手段１０３では抽出されなかった表示装置１０９ａ、１０９ｂ、１０９ｃの情報についても保持する。
【００２０】
次に、端末抽出手段１０３によって抽出された表示装置１０９ａ、１０９ｂ、１０９ｃと、端末記憶手段１０４によって記憶されている表示装置１０９ａ、１０９ｂ、１０９ｃの情報をもとに、リスト作成手段１０５によってリストを作成する。
【００２１】
リスト作成手段１０５では、ネットワーク環境の悪化・好転、ネットワークへの新規表示装置の接続などのネットワークの状態の変化により、情報処理装置１０２と任意の表示装置１０９ａ、１０９ｂ、１０９ｃ間の接続状態が変化した場合（例えば端末抽出手段１０３によって抽出された今回の表示装置の情報と端末記憶手段１０４に記憶されている過去の表示装置の情報に変化が生じた場合）に、リスト内の表示装置１０９ａ、１０９ｂ、１０９ｃ間の表示位置の位置関係を変更することなく、リストを作成することができる。以下にリストの具体的な作成方法を述べる。
【００２２】
図２〜４、８は、ネットワークの状態が変化した際のリストの表示例である。
【００２３】
情報処理装置１０２と一部の表示装置１０９ｂ間の接続状態が途切れた際に、接続状態にある表示装置１０９ａ、１０９ｃの情報だけを用いてリストを作成した場合、図８のように、接続状態が途切れた表示装置１０９ｂの情報がリスト内から消えることによって、別の表示装置１０９ｃの情報がその位置に挿入される可能性がある。このため、更新をリアルタイムに行った場合に、使用者が表示装置１０９ｂを選択する際に、意図しない表示装置１０９ｃを選択してしまう恐れがある。
【００２４】
よって、リスト作成手段１０５では、端末抽出手段１０３で抽出した情報だけでなく、端末記憶手段１０４で記憶されている情報も用いて、接続状態が途切れた表示装置１０９ｂの情報をリストに表示することで、図２に示すように、表示装置１０９ａ、１０９ｂ、１０９ｃ間の表示位置の位置関係を変更しない。但し、接続不可能となった表示装置１０９ｂを表示する際に、空欄にする・メッセージを出力する・表示の形式（大きさ、色、形）を変える・×をつける・斜線を引くなどの使用者が直感的に理解できる記述を加えて、使用者に表示装置１０９ｂが接続不可能となったことを伝える。なお、これらの使用者に表示装置１０９ｂが接続不可能になったことを伝える方法は、組み合わせても良い。
【００２５】
また、情報処理装置１０２と一部の表示装置１０９ｂ間の接続状態が復帰、もしくは表示装置が新規に増えた場合についても、図３または図４に示すようにリスト内の表示装置１０９ａ、１０９ｂ、１０９ｃ間の表示位置の位置関係は変更しない。このとき、新たに接続状態となった表示装置が、端末記憶手段１０４で記憶されている表示装置１０９ｂの場合には復帰と、記憶されていない表示装置の場合は新規表示装置と判断する。
【００２６】
これにより、情報処理装置１０２と表示装置１０９ａ、１０９ｂ、１０９ｃ間の接続状態をリアルタイムに更新を行った場合でも、情報処理装置１０２に表示されているリスト内の表示装置１０９ａ、１０９ｂ、１０９ｃ間の位置関係が変更されることがないため、使用者が望む表示装置１０９ａ、１０９ｂ、１０９ｃを情報処理装置１０２の接続先として選択することができる。その結果、誤った表示装置１０９ａ、１０９ｂ、１０９ｃに情報を送信することを防ぐことができるため、セキュリティの向上になる。
【００２７】
リスト作成手段１０５で作成されたリストは、リスト表示手段１０６で使用者に表示する。リスト表示手段１０６には、ＬＣＤディスプレイやＰＤＰディスプレイ、ＣＲＴディスプレイなどが含まれる。
【００２８】
端末選択手段１０７は、使用者が情報処理装置１０２の接続先として望む表示装置１０９ａ、１０９ｂ、１０９ｃを、リスト表示手段１０６で表示されるリストの中から選択する。端末選択手段１０７には、キーボードやマウス、タブレット入力、音声入力などが含まれる。
【００２９】
データ送信手段１０８は、端末選択手段１０７で選択された表示装置１０９ａ、１０９ｂ、１０９ｃに、通信手段１０１ａ、１０１ｂのいずれかを介して、表示を行うデータの送信を行う。データ送信手段１０８には、送信するデータに対して圧縮化や暗号化などのエンコードも含まれる。
【００３０】
表示装置１０９ａ、１０９ｂ、１０９ｃは、情報処理装置１０２と通信手段１０１ａ、１０１ｂを介して、データの送受信ができ、情報処理装置１０２から受信したデータを表示する。表示装置１０９ａ、１０９ｂ、１０９ｃには、使用者の入力を受け付ける機能や受信したデータをエンコードする機能も含まれる。
【００３１】
図５、図６に実際の管理システムの例を示す。
【００３２】
図５、図６において、図１と同じ構成要素については同じ符号を用い、説明を省略する。
【００３３】
ここでは、情報処理装置１０２としてパーソナルコンピュータ、表示装置１０９ａ、１０９ｂ、１０９ｃとしてプロジェクターを用いている。
【００３４】
ネットワークの環境が良好な状態の場合、図２のように、情報処理装置１０２と表示装置１０９ａ、１０９ｂ、１０９ｃの接続が可能であることが、図５におけるリスト表示手段１０６に表示されるリスト５０１内の情報から読み取ることができる。
【００３５】
また、ネットワーク環境の悪化により、情報処理装置１０２と一部の表示装置１０９ｂ間の接続状態が不安定、もしくは不可能となった場合には、図３のように、情報処理装置１０２と一部の表示装置１０９ｂの接続が不可能であることが、図６におけるリスト表示手段に表示されるリスト６０１内に示される。リスト６０１内では、表示装置１０９ａ、１０９ｂ、１０９ｃ間の表示位置の位置関係を変更することなく、「接続不可能」という文字と×マークを表示装置１０９ｂにつけることにより、使用者にその表示装置１０９ｂが接続不可能となったことを伝えている。これにより、リスト６０１内の表示装置１０９ａ、１０９ｂ、１０９ｃの表示位置の位置関係に変更がないため、使用者は望む表示装置１０９ａ、１０９ｂ、１０９ｃを選択することができる。
【産業上の利用可能性】
【００３６】
本発明の表示装置の管理システムは、使用者が望む表示装置を選択することができると共に、使用者の意図しない表示装置に情報を送信することを防ぎ、セキュリティの信頼性を高めることが出来るので、情報端末と表示装置との接続を管理するシステムなどの用途に有用である。
【符号の説明】
【００３７】
１０１  通信手段
１０２  情報処理装置
１０３  端末抽出手段
１０４  端末記憶手段
１０５  リスト作成手段
１０６  リスト表示手段
１０７  端末選択手段
１０８  データ送信手段
１０９  表示装置
５０１  ネットワーク環境が良好な状態のリスト
６０１  ネットワーク環境が不良な状態のリスト
【図１】
2010244390.tif 000003
【図２】
2010244390.tif 000004
【図３】
2010244390.tif 000005
【図４】
2010244390.tif 000006
【図５】
2010244390.tif 000007
【図６】
2010244390.tif 000008
【図７】
2010244390.tif 000009
【図８】
2010244390.tif 000010